(57)【要約】【課題】弾性部材の収縮機能を損なうことがないテンショナ装置を提供する。【解決手段】テンショナ装置１００は、ピボットシャフト８に回転自在に取付けられたアーム３と、アーム３に配置されたプーリアッシ１１と、アーム３に備えられたガイドブッシュ４と車両部材に設けられるストラットベース２とを連結するスプリング５と、ガイドブッシュ４とストラットベース２とスプリング５とを、スプリング５を収縮させた状態で固定する連結用プレート１とを有し、連結用プレート１はアーム部３の回転方向にしなるしなり部とを有する。【選択図】図１
2007187208.tif 000002
【特許請求の範囲】
【請求項１】
シャフトに回転自在に取付けられたアーム部と、
前記アーム部に配置されたプーリ部と、
前記アーム部に備えられたアーム部側取付部と車両部材に備えられる車両側取付部とを連結する弾性部材と、
前記アーム部側取付部と前記車両側取付部と前記弾性部材とを、前記弾性部材を収縮させた状態で固定する固定部材とを備え、
前記固定部材は前記アーム部の回転周方向にしなるしなり部を備える、テンショナ装置。
【請求項２】
前記固定部材は線材である、請求項１に記載のテンショナ装置。
【請求項３】
前記固定部材は薄板状部材であり、前記薄板状部材の厚さ方向と、前記アーム部の回転周方向とがほぼ同一であり、前記車両側取付部および／または前記アーム部側取付部を貫通して前記固定部材が配置される、請求項１に記載のテンショナ装置。
【発明の詳細な説明】
【技術分野】
【０００１】
この発明はテンショナ装置に関し、より特定的には、ベルトに張力を加えるためのテンショナ装置に関するものである。
【背景技術】
【０００２】
従来、テンショナ装置は、たとえば特開平４−２４４６４６号公報（特許文献１）に開示されている。
【特許文献１】特開平４−２４４６４６号公報
【発明の開示】
【発明が解決しようとする課題】
【０００３】
特許文献１では、回転自在のアーム部と、アーム部側取付部材と車両部材に備えられる車両側取付部材とを連結するスプリングを有するテンショナ装置が開示されている。
【０００４】
従来の技術では、それぞれの部品を車両に組付ける際にはスプリングを収縮させて作業しなければならず、組付け効率が低い。これを解消するためにスプリングを収縮状態で止める部材を備えることが考えられる。しかしながら、テンショナ装置はＶベルトの振動により揺動するため、部材によりスプリングの収縮機能を損なうおそれがあるという問題があった。
【０００５】
そこで、この発明は上述のような問題点を解決するためになされたものであり、スプリングの収縮機能を損なわないテンショナ装置を提供することを目的とする。
【課題を解決するための手段】
【０００６】
この発明に従ったテンショナ装置は、シャフトに回転自在に取付けられたアーム部と、アーム部に配置されたプーリ部と、アーム部に備えられたアーム部側取付部と車両部材に備えられる車両側取付部とを連結する弾性部材と、アーム部側取付部と車両側取付部と弾性部材とを、弾性部材を収縮させた状態で固定する固定部材とを備え、固定部材はアーム部の回転周方向にしなるしなり部を有する。
【０００７】
このように構成されたテンショナ装置では、固定部材がアーム部の揺動運動に従ってしなるしなり部を有するため、弾性体の弾性力を損なわずに揺動運動を収束させることができる。
【０００８】
好ましくは、固定部材は線材である。この場合、線材で固定部材を構成することにより、線材の「しなり」により弾性体が収縮することが可能となり、Ｖベルトの振動を吸収することができる。
【０００９】
好ましくは、固定部材は薄板状部材であり、薄板状部材の厚さ方向と、アーム部の回転周方向とがほぼ同一であり、車両側取付部および／またはアーム部側取付部を貫通して固定部材が配置される。この場合、薄板状部材の厚さ方向をアーム部の回転周方向とほぼ同一にして薄板状部材がしなることにより弾性体が収縮することが可能となり、Ｖベルトの振動を吸収することができる。なお、線材と比較して薄板状部材はアーム部側取付部材との摺動面積が大きいため、摩耗に有利である。
【発明の効果】
【００１０】
この発明に従えば、弾性部材の収縮機能を損なうことがないテンショナ装置を提供することができる。
【発明を実施するための最良の形態】
【００１１】
以下、この発明の実施の形態について図面を参照して説明する。なお、以下の実施の形態では同一または相当する部分については同一の参照符号を付し、その説明については繰返さない。
【００１２】
（実施の形態１）
図１は、この発明の実施の形態１に従ったテンショナ装置の分解斜視図である。図１を参照して、この発明の実施の形態１に従ったテンショナ装置１００は、ピボットシャフト８に回転自在に取付けられたアーム部としてのアーム３と、アーム３に配置されたプーリ部としてのプーリアッシ１１と、アーム３に備えられたアーム部側取付部としてのガイドブッシュと車両部材に設けられる車両側取付部としてのストラットベース２とを連結する弾性部材としてのスプリング５と、ガイドブッシュ４とストラットベース２とスプリング５とを、スプリング５を収縮させた状態で固定する固定部材としての連結用プレート１とを有する。連結用プレート１は矢印３１で示すアーム３の揺動方向にしなるしなり部を備える。
【００１３】
ストラットベース２は車両の特定部位に固定される。アーム３はピボットシャフト８、ブッシング７、フリクションディスク１７、ワッシャ１６、ベルビルワッシャ１５およびフロントプレート１４で回動可能に支持されている。プーリアッシ１１はダストカバー１２を有するボルト１３によりアーム３に回転自在に保持されており、プーリアッシ１１にＶリブドベルトが掛けられる。この状態でＶリブドベルトに張力変化が生じると、アーム３はピボットシャフト８を支点として矢印３１で示す方向に円弧状の運動を行なう。
【００１４】
連結用プレート１はストラットベース２とアーム３のガイドブッシュ４とを接続している。図１の分解斜視図ではスプリング５がストラットベース２およびアーム３の支持部１８に接触していないが、組付けた状態ではスプリング５はストラットベース２と支持部１８の両方に直接接触して、これらの間に弾性力を加える。連結用プレート１にはストッパピン６が設けられている。コイル状のスプリング５で囲まれた空間を貫通するように連結用プレート１が配置される。連結用プレート１は薄板状であり、しなり部１０１を有する。薄板状の連結用プレート１は板厚方向に撓みやすい構造とされており、アーム３の矢印３１で示す方向の揺動運動に応じてしなり部１０１が撓む構造とされている。
【００１５】
なお、連結用プレート１は薄板状部材に限られず線材により構成されていてもよい。連結用プレート１の材質としては、ステンレス鋼（ＳＵＳ）で構成することができる。また、ステンレス鋼だけでなく、たとえば適度に弾性を有するばね鋼で構成してもよい。
【００１６】
図２は、この発明に従ったテンショナ装置の側面図である。図２を参照して、テンショナ装置１００は回動軸を構成するピボットシャフト８と、ピボットシャフト８に回動自在（揺動自在）に取付けられたアーム３と、アーム３の端部に取付けられて回転可能に保持されるプーリアッシ１１と、アーム３の支持部１８に設けられるガイドブッシュ４とを有する。ガイドブッシュ４を貫通するように連結用プレート１が設けられ、連結用プレート１はストラットベース２に固着されている。プーリアッシ１１にはＶリブドベルト３５が掛けられており、Ｖリブドベルト３５からプーリアッシ１１へ加えられるテンションが変化することでアーム３がピボットシャフト８を支点として回動する。
【００１７】
図３は、回動するアームを示す側面図である。図３を参照して、アーム３は矢印３１で示す方向に回動する。このとき、連結用プレート１は二点鎖線で示すように板厚方向にしなるしなり部１０１を有するため、アーム３の揺動に連結用プレート１が追従することが可能である。また、摺動部の面圧を平面部で受けるため面圧が下がり、ガイドブッシュ４の摩耗を低減することが可能となる。
【００１８】
図４は、連結用プレートを拡大して示す斜視図である。図４を参照して、連結用プレート１の板厚方向が、アーム３の揺動方向と同じようになる。連結用プレート１の板厚方向はアーム３の揺動方向と交差し、揺動によって連結用プレート１を厚み方向に湾曲させるような力がアーム３から連結用プレート１へ加わる。連結用プレート１の先端を９０°捩じり、連結用プレート１をガイドブッシュ４から抜けないようにする。
【００１９】
なお、今回のテンショナ装置１００では、ピボットシャフト８（図１）と、ピボットシャフトの組付け穴を組付けに適した位置関係にするために連結用プレート１に穴を開けて、そこにストッパピン６を指して位置決めをしている。
【００２０】
アーム部とコイルスプリングと車両側取付部とが別部品である場合には、各部品を車両に取付ける際に、各部品の位置決めが困難となり組付け効率が向上しない。そこで、上記構成によりアーム部とコイルスプリングと車両側取付部（鋳鉄）とを固定部材（ＳＵＳ）を介することにより、１部品（アッシ）として形成してしたため、車両組付け時の組付け効率が向上する。ここで、アーム部材はプーリ部がＶベルトからの振動を受けることにより回転支持部を中心に揺動運動する。従来は弾性体によってこの揺動運動を収束させていたが、固定部材を用いられた場合、弾性体の弾性力が損なわれるおそれがある。そこで、固定部材にアーム部の揺動運動に従ってしなる「しなり部」１０１を設けたため、弾性体の弾性力を損なわずに揺動運動を収束させることができる。
【００２１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００２２】
【図１】この発明の実施の形態１に従ったテンショナ装置の分解斜視図である。
【図２】この発明に従ったテンショナ装置の側面図である。
【図３】回動するアームを示す側面図である。
【図４】連結用プレートを拡大して示す斜視図である。
【符号の説明】
【００２３】
１  連結用プレート、２  ストラットベース、３  アーム、４  ガイドブッシュ、５  スプリング、６  ストッパピン、７  ブッシング、８  ピボットシャフト、１１  プーリアッシ、１２  ダストカバー、１３  ボルト、１４  フロントプレート、１５  ベルビルワッシャ、１６  ワッシャ、１７  フリクションディスク、１８  支持部、３１  矢印、１００  テンショナ装置、１０１  しなり部。
【図１】
2007187208.tif 000003
【図２】
2007187208.tif 000004
【図３】
2007187208.tif 000005
【図４】
2007187208.tif 000006